(57)【特許請求の範囲】
【請求項１】
サイホン式水洗大便器の便器本体の排水路の出口部と床下に設けられた床下排水管の入口部とを連結する排水ソケットであって、
上記便器本体の排水路の出口部に接続される便器本体側接続管部材と、
上記床下排水管の入口部と接続される床下側接続管部材と、
上記便器本体側接続管部材の出口部と床下側接続管部材の入口部とを接続するほぼ直線状に延びる中間管部材と、を有し、
上記床下側接続管部材自体のみ又はその近傍のみに、サイホン作用を誘発する絞り部が設けられ、
上記便器本体側接続部材は、上記便器本体の排水路の出口部に接続され且つ鉛直方向下方に延びる垂下部と、この垂下部から流路がほぼ直角に屈曲する屈曲部と、この屈曲部から水平方向に延び且つ上記中間管部材に接続される水平部とを備え、上記屈曲部には、上記垂下部を鉛直方向下方に流下した排水を、この流路断面を水シールしてサイホン作用を誘発することなく上記水平部の頂部よりやや下方を通過して上記中間管部材の流路下方方向に向けて流れるように方向転換させるガイド部が形成されていることを特徴とする排水ソケット。
【請求項２】
上記ガイド部は、上記水平部の流路の中心軸線とほぼ同一の高さ位置に下流側を向いて下方へと傾斜した傾斜面を備えている請求項１記載の排水ソケット。
【請求項３】
上記ガイド部の傾斜面の前後方向の幅の長さは、上記垂下部の前後方向の幅の長さの２０〜３０％である請求項２記載の排水ソケット。
【請求項４】
上記中間管部材の流路断面積は、上記便器本体側接続管部材の水平方向の最小流路断面積より大きい請求項２又は３記載の排水ソケット。
【請求項５】
上記便器本体側接続管部材の水平方向の最小流路断面積は、３８００ｍｍ2〜４３００ｍｍ2である請求項４記載の排水ソケット。
【請求項６】
上記ガイド部の傾斜面は、上流側で水平面上を半円弧状に延びる上端辺と、この上端辺の左端及び右端から下方に円弧状に延びる下端辺とにより囲まれる領域に形成される凹形状面からなる請求項２乃至５の何れか１項に記載の排水ソケット。
【請求項７】
上記絞り部は、床面より上方の床下側接続管部材の屈曲している部分に設けられている請求項１乃至６の何れか１項に記載の排水ソケット。
【請求項８】
請求項１乃至７の何れか１項に記載の上記排水ソケットを備えた水洗大便器。
【発明の詳細な説明】
【技術分野】
【０００１】
本発明は、排水ソケット、及び、その排水ソケットを備えた水洗式大便器に係り、特に、サイホン式便器の便器本体の排水路の出口部と床下に設けられた床下排水管の入口部とを連結する排水ソケットに関する。
【背景技術】
【０００２】
従来から、特許文献１に示されているように、サイホン式水洗大便器において、便器本体の排水路と床下排水管とを連結する、２つの屈曲部を有する排水ソケットを備えた水洗大便器が知られている。
図６に示すように、特許文献１に示される排水ソケット４８は、便器本体４６の排水路の出口部に接続される排水口接続部材５０（便器本体側接続管部材）と、床下排水管５２の入口部と接続される排水管接続部材５４（床下側接続管部材）と、排水口接続部材５０の出口部と排水管接続部材５４の入口部とを接続するアジャスター部材５６（中間管部材）とを備え、強力なサイホン作用を発生させるために排水口接続部材５０内の床上絞り部５８と排水管接続部材５４内の床下絞り部６０との２箇所でサイホン作用を発生させている。
【先行技術文献】
【特許文献】
【０００３】
【特許文献１】特開２０１１−２６９０７号公報
【発明の概要】
【発明が解決しようとする課題】
【０００４】
しかしながら、上述した特許文献１に示すサイホン式水洗大便器においては、床上絞り部５８と床下絞り部６０との２箇所においてサイホン作用を発生させる場合、サイホン作用を早期に発生させることができる利点があるが、サイホン作用が発生した後、床上絞り部５８によって排水口接続部材５０内に水シールが発生されることによる排水の流れの抵抗を受け、流路内を流れる排水の流速が低下し、サイホン作用持続中の排水量が低下し、排水性能が低下するという問題（欠点）があった。近年の節水化の要請に伴い、洗浄水量が減らされ、排水量が減ったことに伴い、この問題がより顕著に生じるようになっている。
【０００５】
そこで、本発明は、従来技術の欠点を解決するためになされたものであり、サイホン作用の起動後に流路内を流れる排水の流速を上げることができ、サイホン作用持続中の排水量を増やして、排水性能をより向上させることができる排水ソケット及びその排水ソケットを備えたサイホン式水洗大便器を提供することを目的としている。
【課題を解決するための手段】
【０００６】
上記の目的を達成するために、本発明は、サイホン式水洗大便器の便器本体の排水路の出口部と床下に設けられた床下排水管の入口部とを連結する排水ソケットであって、便器本体の排水路の出口部に接続される便器本体側接続管部材と、床下排水管の入口部と接続される床下側接続管部材と、便器本体側接続管部材の出口部と床下側接続管部材の入口部とを接続するほぼ直線状に延びる中間管部材と、を有し、床下側接続管部材自体のみ又はその近傍のみに、サイホン作用を誘発する絞り部が設けられ、便器本体側接続部材は、便器本体の排水路の出口部に接続され且つ鉛直方向下方に延びる垂下部と、この垂下部から流路がほぼ直角に屈曲する屈曲部と、この屈曲部から水平方向に延び且つ中間管部材に接続される水平部とを備え、屈曲部には、垂下部を鉛直方向下方に流下した排水を、この流路断面を水シールしてサイホン作用を誘発することなく水平部の頂部よりやや下方を通過して中間管部材の流路下方方向に向けて流れるように方向転換させるガイド部が形成されていることを特徴としている。
このように構成された本発明においては、床下側接続管部材自体のみ又はその近傍のみに、サイホン作用を誘発する絞り部が設けられているので、この絞り部により、効果的にサイホン作用を発生させ、さらに、便器本体側接続管部材の流路底面に形成されたガイド部が、この流路断面を水シールしてサイホン作用を誘発することなく水平部の頂部よりやや下方を通過して中間管部材の流路下方方向に向けて流れるように方向転換させるので、便器本体側接続管部材内に水シールを発生することによる流れの抵抗を発生させずに、サイホン作用の起動後に流路内を流れる排水の流速を上げることができ、サイホン作用持続中の排水量を増やすことができるので、排水性能をより向上させることができる。
【０００７】
本発明において、好ましくは、ガイド部が、水平部の流路の中心軸線とほぼ同一の高さ位置に下流側を向いて下方へと傾斜した傾斜面を備えている。
このように構成された本発明においては、ガイド部が、便器本体側接続部材の水平部の流路の中心軸線の高さとほぼ同一の高さの位置に下流側に傾斜する傾斜面を備えているので、このガイド部の傾斜面により、便器本体の排水路から流下した排水を排水の流れの抵抗をより生じにくくしながら、跳ね返すように方向転換させることができる。そのため、サイホン作用の起動後に流路内を流れる排水の流速を上げることができ、サイホン作用持続中の排水量を増やして、排水性能をより向上させることができる。
【０００８】
本発明において、好ましくは、ガイド部の傾斜面の前後方向の幅の長さは、垂下部の前後方向の幅の長さの２０〜３０％である。
このように構成された本発明においては、ガイド部の傾斜面の前後方向の幅の長さが、垂下部の前後方向の幅の長さの２０〜３０％であるので、排水の流れに生じる抵抗をより小さくしながら、流れを方向転換させることができ、そのため、サイホン作用の起動後に流路内を流れる排水の流速を上げることができ、サイホン作用持続中の排水量を増やして、排水性能をより向上させることができる。
【０００９】
本発明において、好ましくは、中間管部材の流路断面積は、便器本体側接続管部材の水平方向の最小流路断面積より大きい。
このように構成された本発明においては、中間管部材の流路断面積が、便器本体側接続管部材の水平方向の最小流路断面積より大きいために、方向転換された排水の流れが、中間管部材による抵抗をより受けにくくなり、滑らかに流れることができる。それにより、サイホン作用の起動後に流路内を流れる排水の流速を上げることができ、サイホン作用持続中の排水量を増やして、排水性能をより向上させることができる。
【００１０】
本発明において、好ましくは、便器本体側接続管部材の水平方向の最小流路断面積は、３８００ｍｍ2〜４３００ｍｍ2である。
このように構成された本発明においては、便器本体側接続管部材の最小流路断面積が、３８００ｍｍ2〜４３００ｍｍ2であるので、便器本体側接続管部材の流路を通過する排水の流れが、便器本体側接続管部材による抵抗をより受けにくくなり、滑らかに流れることができ、それにより、サイホン作用の起動後に流路内を流れる排水の流速を上げる事ができ、サイホン作用持続中の排水量を増やして、排水性能をより向上させることができる。
【００１１】
本発明において、好ましくは、ガイド部の傾斜面は、上流側で水平面上を半円弧状に延びる上端辺と、この上端辺の左端及び右端から下方に円弧状に延びる下端辺とにより囲まれる領域に形成される凹形状面からなる。
このように構成された本発明においては、ガイド部の傾斜面は、上流側で水平面上を半円弧状に延びる上端辺と、この上端辺の左端及び右端から下方に円弧状に延びる下端辺とにより囲まれる領域に形成される凹形状面からなるので、傾斜面の下端辺によって屈曲部内の流路断面積を狭くすることなく、且つさらに傾斜面の表面積を凹形状面の円弧状表面により増大させて形成することができるので、流下する排水の流れをより多く受けて方向転換させることができ、且つ、排水の流れの抵抗をより生じにくくししながら排水を滑らかに流すことができる。そのため、サイホン作用の起動後に排水ソケットの流路内を流れる排水の流速を上げることができ、サイホン作用持続中の排水量を増やして、排水性能をより向上させることができる。
【００１２】
本発明において、好ましくは、絞り部は、床面より上方の床下側接続管部材の屈曲している部分に設けられている。
このように構成された本発明においては、絞り部が床面より上方の床下側接続管部材の屈曲している部分に設けられているため、排水の流れの抵抗を生じにくく、排水を滑らかに流すことができる。そのため、サイホン作用の起動後に流路内を流れる排水の流速を上げることができ、サイホン作用持続中の排水量を増やして、排水性能をより向上させることができる。
【００１３】
また、本発明は、排水ソケットを備えた水洗大便器である。
このように構成された本発明の水洗大便器においては、サイホン作用の起動後に流路内を流れる排水の流速を上げることができ、サイホン作用持続中の排水量を増やして、排水性能をより向上させることができる。
【発明の効果】
【００１４】
本発明の排水ソケット及びその排水ソケットを備えたサイホン式水洗大便器によれば、サイホン作用の起動後に流路内を流れる排水の流速を上げることができ、サイホン作用持続中の排水量を増やして、排水性能をより向上させることができる。
【図面の簡単な説明】
【００１５】
【図１】本発明の実施形態による水洗大便器を示す部分側面図である。
【図２】図１のII−II線に沿って見た排水ソケットの便器本体側接続管部材の平面図である。
【図３】図１のIII−III線に沿って見た排水ソケットの便器本体側接続管部材の正面図である。
【図４】本発明の実施形態による水洗大便器の排水瞬間流量と時間との関係、及び、従来の排水ソケットを備えた水洗大便器の排水瞬間流量と時間との関係を示す線図である。
【図５】本発明の実施形態による水洗大便器における便器洗浄の際の流れの様子を示す断面図である。
【図６】従来の排水ソケットを備えた水洗大便器を示す断面図である。
【発明を実施するための形態】
【００１６】
つぎに、添付図面を参照して、本発明の実施形態による排水ソケット、及び、この排水ソケットを備えた水洗大便器を説明する。
まず、図１により、本発明の実施形態による水洗大便器の構造を説明する。ここで、図１は本発明の実施形態による水洗大便器を示す部分側面図である。
水洗大便器１は、床排水タイプのサイホン式水洗大便器である。
【００１７】
図１に示すように、水洗大便器１は、便器本体２と、この便器本体２の上面に配置された便座４と、便座４を覆うように配置された便座カバー６と、便器本体２の後方上部に配置された局部洗浄装置８を備えている。さらに、便器本体２の後方には、機能部１０が配置されている。
【００１８】
便器本体２には、汚物を受けるボウル形状のボウル部１２と、このボウル部１２の底部から延びる排水トラップ管路１４と、ジェット吐水を行うジェット吐水口１６と、リム吐水を行うリム吐水口（図示せず）が形成されている。
【００１９】
ジェット吐水口１６は、ボウル部１２の汚物を受ける汚物受け面２０の底部２０ａに形成されており、排水トラップ管路１４のトラップ管路入口部１４ａに指向してほぼ水平に配置され、洗浄水を排水トラップ管路１４に向けて吐出するようになっている。
【００２０】
リム吐水口（図示せず）は、ボウル部１２の左側上部後方に形成されており、洗浄水をこのリム吐水口からリム部２２の内周面２２ａに沿って前方に吐出するようになっている。
【００２１】
排水トラップ管路１４は、トラップ管路入口部１４ａと、このトラップ管路入口部１４ａから上昇するトラップ上昇管１４ｂと、このトラップ上昇管１４ｂから鉛直方向下方に下降するトラップ下降管出口部１４ｃとからなり、トラップ上昇管１４ｂとトラップ下降管出口部１４ｃとの間がトラップ管路頂部１４ｄとなっている。
ここで、排水トラップ管路１４のトラップ下降管出口部１４ｃには、排水ソケット２４が接続され、この排水ソケット２４を介して、床下に設けられた床下排水管２６に接続され、汚物を含む洗浄水を外部へ排出するようになっている。
【００２２】
本実施形態による水洗大便器１においては、リム吐水に関しては、リム部２２のリム吐水口よりも後方側に形成されたリム導水路（図示せず）が、洗浄水を供給する洗浄水源である水道（図示せず）に直結されており、水道の給水圧力により、リム導水路に供給された洗浄水は、リム吐水口から前方へ吐出されるようになっている。
また、ジェット吐水に関しては、後述するように、機能部１０に内蔵された貯水タンク（図示せず）に貯水された洗浄水は、加圧ポンプ（図示せず）によって加圧され、ボウル部１２の後方側からジェット吐水口１６にかけて形成されたジェット導水路１６ａを経て、大流量でジェット吐水口１６から吐出されるようになっている。
【００２３】
次に、図１により、本発明の実施形態による排水ソケットを説明する。
図１に示すように、水洗大便器１は、汚物を排出するための排水ソケット２４を備え、この排水ソケット２４は、便器本体２の排水路のトラップ下降管出口部１４ｃと床下に設けられた床下排水管２６の床下排水管入口部２６ａとを連結している。
排水ソケット２４は、便器本体２のトラップ下降管出口部１４ｃの鉛直方向下方に接続され、且つ鉛直方向下方から水平方向に向かってほぼ直角に屈曲するように形成されている便器本体側接続管部材２８と、この便器本体側接続管部材２８から水平方向に延びる中間管部材３０と、この中間管部材３０と接続され、且つ水平方向から鉛直方向下方に向かってほぼ直角に屈曲するように形成されている床下側接続管部材３２と、を備えている。
【００２４】
便器本体２の排水路の鉛直方向下方に開口するトラップ下降管出口部１４ｃには、上向きに開口する便器本体側接続管部材２８の便器本体側接続管部材入口部２８ａが接続されている。便器本体側接続管部材２８は、L字形状に屈曲されて形成され、この管部材内部の流路が鉛直方向下方から水平方向に向かってほぼ直角に屈曲するように形成されている。便器本体側接続管部材２８の下流側で水平方向に開口する便器本体側接続管部材出口部２８ｂには、中間管部材３０が接続されている。
【００２５】
中間管部材３０は、直線状管部材であり、便器本体側接続管部材出口部２８ｂには、中間管部材３０の横向き（ほぼ水平向き）に開口する中間管部材入口部３０ａが接続されている。下流側において横向きに開口する中間管部材出口部３０ｂには、床下側接続管部材３２の床下側接続管部材入口部３２ａが接続されている。
【００２６】
床下側接続管部材３２は、この管部材内部の流路が水平方向から鉛直方向下方に向かってほぼ直角に屈曲するように形成されている。床下側接続管部材３２の下流側において鉛直方向下方向に開口する床下側接続管部材出口部３２ｂには、床下排水管２６の床下排水管入口部２６ａが接続されている。
【００２７】
上述した実施形態においては、便器本体側接続管部材２８、中間管部材３０及び床下側接続管部材３２の３部材を別体として構成したが、それらは一体として形成されていてもよい。また、３部材の内の２部材を一体として形成するようにしてもよい。
さらに、中間管部材３０を省略し、この中間管部材の上流側部分を便器本体側接続管部材２８と一体的に形成し、さらに、中間管部材の下流側部分を床下側接続管部材３２と一体的に形成するようにしてもよい。
【００２８】
床下側接続管部材３２の下流端には、管内の流路管径（幅）を絞る絞り部３６が設けられている。この絞り部３６は、床下側接続管部材３２の下流端を含む上方に屈曲している部分に形成するようにしてもよい。絞り部３６は、流路断面積を絞ることにより、排水の流れを乱し、排水の排出への抵抗を発生させ、水シール部分を形成して、サイホン作用を誘発するように形成されている。この絞り部３６は、床下側接続管部材３２の近傍の上流側又は床下側接続管部材３２の近傍の下流側に設けられていてもよく、さらに、床下側接続管部材３２とは別部材として床下側接続管部材３２の下流側に設けられていてもよい。
【００２９】
次に、図１乃至図３により、本発明の実施形態による排水ソケットの便器本体側接続管部材の構造を説明する。
図２は図１のII−II線に沿って見た排水ソケットの便器本体側接続管部材の平面図であり、図３は図１のIII−III線に沿って見た排水ソケットの便器本体側接続管部材の正面図である。
【００３０】
図１に示すように、便器本体側接続管部材２８は、便器本体２の排水路のトラップ下降管出口部１４ｃに接続され且つ鉛直方向下方に延びる垂下部３８と、この垂下部３８から水平方向に向かってほぼ直角に流路が屈曲する屈曲部４０と、この屈曲部４０から水平方向に延び且つ中間管部材３０に接続される水平部４２とを備えている。
【００３１】
便器本体側接続管部材２８の垂下部３８において、垂下部３８の最狭部の水平面の断面積が、便器本体側接続管部材２８の水平方向の最小流路断面積となっており、この最小流路断面積は、３８００ｍｍ2〜４３００ｍｍ2の大きさである。中間管部材３０の上下方向の流路断面積は、この便器本体側接続管部材２８の水平方向の最小流路断面積より大きくなっている。
【００３２】
便器本体側接続管部材２８の屈曲部４０の流路底面には、便器本体２の排水路１４の出口部１４ｃから流下した排水を、この流路断面を水シールすることなく中間管部材３０の流路下流方向に向けて流れるように方向転換させるガイド部４４が形成されている。このガイド部４４は、より具体的に言うと、便器本体２の排水路１４の出口部１４ｃから略鉛直下方向に流下した排水を中間管部材３０の略水平方向である中心軸線Ｘの方向に沿って流れるようにしている。
ガイド部４４は、上流側で水平面上を円弧状に延びる上端辺４４ａと、この上端辺４４ａの左端４４ｂ及び右端４４ｃから下方に円弧状に延びる下端辺４４ｄとを備えている。この上端辺４４ａと下端辺４４ｄによりにより囲まれた下流側に傾斜する面領域がガイド部４４の傾斜面４４ｅとし、凹形状面で形成されている。
図２に示すように、上端辺４４ａの左端と下端辺４４ｄの左端とが垂下部３８の垂下部中心軸線Yの左側壁上で左端４４ｂとして接続され、同様に上端辺４４ａの右端と下端辺４４ｄの右端とが垂下部３８の垂下部中心軸線Yの右側壁上で右端４４ｃとして接続されている。傾斜面４４ｅは、上方から見て、上端辺４４ａの円弧中心及び下端辺４４ｄの円弧中心がそれぞれ水平部４２の水平部中心軸線X上に沿って配置されるように、下流側に開いている三日月形状に形成されている。
図３に示すように、傾斜面４４ｅを下流側から水平に見た場合に、傾斜面４４ｅの上端辺４４ａは左右幅方向に略水平に延び、傾斜面４４ｅの下端辺４４ｄは、上端辺４４ａの左右幅方向の左端４４ｂ及び右端４４ｃから下方に円弧状に延び、傾斜面４４ｅは、左右幅方向において上端辺４４ａの左端４４ｂ及び右端４４ｃから下方へと弧を描いた半円弧形状に形成されている。傾斜面４４ｅの下端辺４４ｄの下端（左右幅方向中心）の位置は、水平部４２の流路の水平部中心軸線（水平方向軸線）Xと略同一の高さ位置に位置決めされている。傾斜面４４ｅの便器前後方向の幅の長さL１は、約１５ｍｍ〜２０ｍｍであり、垂下部３８の最狭部の前後方向の幅の長さＬ２の約２０〜３０％である。傾斜面４４ｅの前後方向の傾斜角度が、水平面に対して下方へと約１８度〜２４度に形成されるので、傾斜面４４ｅが鉛直方向下方に流下した排水を水平部４２の水平部頂部４２ａよりやや下方の流路下流方向に向けて、この流路断面を水シールすることなく流れるように方向転換させることができる。
【００３３】
次に、図４及び図５により、本発明の実施形態による排水ソケット内の排水の流れ（動作）について説明する。
図４は、本発明の実施形態による水洗大便器の排水瞬間流量と時間との関係と、比較例として、従来の排水ソケットを備えた水洗大便器の排水瞬間流量と時間との関係を示し、図５は、本発明の実施形態による水洗大便器における便器洗浄の際の流れの様子の一例を示している。
【００３４】
先ず、図４は、排水ソケット２４の床下側接続管部材３２の床下側接続管部材出口部３２ｂ近傍において排水瞬間流量の時間変化を測定した結果、及び従来の排水ソケットの床下側接続管部材の出口部近傍において排水瞬間流量の時間変化を測定した結果を示している。縦軸は、排水瞬間流量（L/min）を示し、横軸は、ジェット吐水開始時ｔ０からの経過時間(s)を示す。
本発明の実施形態による排水ソケット内の排水の排水瞬間流量は、便器洗浄開始時（図示せず）から、時間経過の順に、ジェット吐水開始時（ｔ０）を経て、徐々に増加し、排水ソケット２４内部においてサイホン作用が起動（ｔ１）した後、増大して最大排水瞬間流量となり、その後、サイホン作用が継続したまま所定時間の間、減少して、サイホン作用が終了（ｔ２）した後、さらに減少することがわかる。
これに対し、従来の排水ソケットには、特許文献１に示す各位置に絞り部が２箇所設けられ、中間管部材の径が本実施形態の中間管部材３０の径よりもやや小さく形成されていた。この従来の排水ソケット内の排水瞬間流量は、排水ソケット内部においてサイホン作用が起動（ｔ１）した後、増大する最大排水瞬間流量が、本発明の実施形態による排水ソケット２４の最大排水瞬間流量よりも小さいことがわかる。
従って、本発明の実施形態による排水ソケット２４において、サイホン作用が起動（ｔ１）した後に、排水ソケット２４流路内を流れる排水の排水瞬間流量が増大され（すなわち、排水の流速が上昇され）、サイホン作用の終了までのサイホン作用の持続期間（ｔ１からｔ２までの期間）における排水の総排水量が増大されていることがわかる。
なお、本発明の実施形態による排水ソケット２４におけるサイホン作用の終了時（ｔ２）は、従来の排水ソケットにおけるサイホン作用の終了時（ｔ２’）と比べて、若干早い時間で終了している。
【００３５】
次に、図５に示すように、トラップ下降管出口部１４ｃから垂下部中心軸線Ｙに沿った鉛直方向下方向に流下してきた排水が、ガイド部４４の傾斜面４４ｅに当たり、中間管部材３０の中心軸線Ｘの水平方向に沿って流れるようにして、方向転換させられ、水平部４２の水平部頂部４２ａ又は中間管部材３０の中間管部材頂部３０ｃより下方を通過して中間管部材３０内を流れることがわかる。
このように方向転換された排水は、便器本体側接続管部材２８の屈曲部４０の流路内で水シールを形成することがないために、水シールによる抵抗が生じることがないので、排水の流速が速くなり、中間管部材３０の流路を滑らかに流れて速い流速を維持したまま、下流側の床下側接続管部材３２の近傍に設けられた絞り部３６に早期に到達して、サイホン作用を効率よく誘発する。
上述したように、ガイド部４４は、排水の偏流板部として、排水の流れが中間管部材３０の下方に片寄らないように偏流させ、中間管部材３０に均一に排水を流す機能を備えている。
【００３６】
次に、上述した本発明の実施形態による排水ソケットの作用効果を説明する。
床下側接続管部材３２自体又はその近傍には、サイホン作用を誘発する絞り部３６が設けられているので、この絞り部３６により、効果的にサイホン作用を誘発させ、さらに、便器本体側接続管部材２８の流路底面に形成されたガイド部４４が、便器本体２のトラップ下降管出口部１４ｃから鉛直方向下方に流下した排水を、この流路断面を水シールすることなく中間管部材３０の流路下流方向に向けて流れるように方向転換させるようにしたので、便器本体側接続管部材２８の流路内の流路内断面を水でシールする向きに上方に跳ね返して水シールを発生することによる排水の流れの抵抗を発生させずに、サイホン作用の起動後に排水ソケット２４の流路内を流れる排水の流速を上げることができ、サイホン作用の持続中の排水量を増やすことができるので、排水性能をより向上させることができる。
【００３７】
本発明の実施形態による排水ソケットによれば、ガイド部４４が、屈曲部に形成され、便器本体側接続管部材２８の水平部４２の流路の水平部中心軸線Ｘの高さとほぼ同一の高さの位置に下流側に傾斜する傾斜面４４ｅを備えているので、このガイド部４４の傾斜面４４ｅにより、便器本体２の排水路から流下した排水を、排水の流れの抵抗をより生じにくくしながら流れるように方向転換させることができ、そのため、サイホン作用の起動後に排水ソケット２４の流路内を流れる排水の流速を上げることができ、サイホン作用の持続中の排水量を増やして、排水性能をより向上させることができる。
【００３８】
また、本発明の実施形態による排水ソケットによれば、ガイド部４４の傾斜面４４ｅの前後方向の幅の長さが、垂下部３８の前後方向の幅の長さの２０〜３０％であるので、排水の流れに生じる抵抗をより小さくしながら、流れを方向転換させることができ、そのため、サイホン作用の起動後に排水ソケット２４の流路内を流れる排水の流速を上げることができ、サイホン作用持続中の排水量を増やして、排水性能をより向上させることができる。
【００３９】
また、本発明の実施形態による排水ソケットによれば、中間管部材３０の流路断面積は、便器本体側接続管部材２８の水平方向の最小流路断面積より大きいために、方向転換された排水の流れが、中間管部材３０からより抵抗を受けにくくなり、滑らかに流れることができ、それにより、サイホン作用の起動後に排水ソケット２４の流路内を流れる排水の流速を上げることができ、サイホン作用持続中の排水量を増やして、排水性能をより向上させることができる。
【００４０】
さらに、本発明の実施形態による排水ソケットによれば、便器本体側接続管部材２８の水平方向の最小流路断面積は、３８００ｍｍ2〜４３００ｍｍ2であるので、便器本体側接続管部材２８の流路を通過する排水の流れが、より抵抗を受けにくくなり、滑らかに流れることができ、それにより、サイホン作用の起動後に排水ソケット２４の流路内を流れる排水の流速を上げる事ができ、サイホン作用持続中の排水量を増やして、排水性能をより向上させることができる。
【００４１】
さらに、本発明の実施形態による排水ソケットによれば、ガイド部４４の傾斜面４４ｅは、上流側で水平面上を半円弧状に延びる上端辺４４ａと、この上端辺４４ａの左端４４ｂ及び右端４４ｃから下方に円弧状に延びる下端辺４４ｄとにより囲まれる領域に形成される凹形状面からなるので、傾斜面４４ｅの下端辺４４ｄによって屈曲部４０内の流路断面積を狭くすることなく、且つさらに傾斜面４４ｅの表面積を円弧表面により湾曲して大きく形成することができるので、流下する排水の流れをより多く受けて方向転換させることができ、かつ、排水の流れの抵抗をより生じにくくししながら排水を滑らかに流すことができ、そのため、サイホン作用の起動後に排水ソケット２４の流路内を流れる排水の流速を上げることができ、サイホン作用持続中の排水量を増やして、排水性能をより向上させることができる。
【００４２】
さらに、本発明の実施形態による排水ソケットによれば、床面３４より上方の床下側接続管部材３２の屈曲している部分に設けられている絞り部３６が、それほど強いサイホン作用を誘発するものではなく、排水の流れの抵抗を生じにくくししながら排水を滑らかに流すことができ、そのため、サイホン作用の起動後に排水ソケット２４の流路内を流れる排水の流速を上げることができ、サイホン作用持続中の排水量を増やして、排水性能をより向上させることができる。
【００４３】
さらに、本発明の実施形態による排水ソケットを備えた水洗大便器によれば、サイホン作用の起動後に排水ソケット２４の流路内を流れる排水の流速を上げることができ、サイホン作用持続中の排水量を増やして、排水性能をより向上させることができる。
【符号の説明】
【００４４】
１            水洗大便器
２            便器本体
１４ｃ        トラップ下降管出口部
２４          排水ソケット
２６          床下排水管
２６ａ        床下排水管入口部
２８          便器本体側接続管部材
２８ａ        便器本体側接続管部材入口部
２８ｂ        便器本体側接続管部材出口部
３０          中間管部材
３０ａ        中間管部材入口部
３０ｂ        中間管部材出口部
３０ｃ        中間管部材頂部
３２          床下側接続管部材
３２ａ        床下側接続管部材入口部
３２ｂ        床下側接続管部材出口部
３６          絞り部
３８          垂下部
４０          屈曲部
４２          水平部
４２ａ        水平部頂部
４４          ガイド部
４４ａ        上端辺
４４ｂ        左端
４４ｃ        右端
４４ｄ        下端辺
４４ｅ        傾斜面
【図１】
0005807744.tif 000002
【図２】
0005807744.tif 000003
【図３】
0005807744.tif 000004
【図４】
0005807744.tif 000005
【図５】
0005807744.tif 000006
【図６】
0005807744.tif 000007